(57)【特許請求の範囲】
【請求項１】
押出機と、
当該押出機から押し出された押出材を支持するためのランアウトテーブルと、
当該ランアウトテーブルに沿って、押出機から押し出されてくる押出材を前方に送り出すための送りローラと、当該送りローラから押出前方側に所定の間隔を隔てて設けた引きローラとを備え、
前記引きローラは前記送りローラにて送り出された押出材を引き込むためのものであり、
前記送りローラと前記引きローラとの間に押出材の冷却手段を有し、前記送りローラと前記引きローラでその間を通過する押出材に引っ張り力が生じるものであることを特徴とする押出装置。
【請求項２】
前記引きローラの前方に、押出材の押出スピードに同期移動しながら当該押出材を切断するための切断機を有することを特徴とする請求項１記載の押出装置。
【請求項３】
前記切断機の前方に切断された押出材の搬送手段を有することを特徴とする請求項２記載の押出装置。
【請求項４】
前記冷却手段は空冷手段であることを特徴とする請求項１記載の押出装置。
【発明の詳細な説明】
【技術分野】
【０００１】
本発明は、アルミニウム及びその合金やマグネシウム及びその合金等の軽金属の押出機及びその附帯設備からなる押出装置に関する。
【背景技術】
【０００２】
アルミニウム合金等の押出装置は、円柱状のビレットを所定の温度まで予熱し、このビレットをコンテナに装着し、直接押出プレスタイプ又は間接押出タイプの押出機にて押出材を押出成形する。
押し出された押出材は、ランアウトテーブルに沿って前方に移動する。
この段階では押出材が高温であるために、ランアウトテーブルの側面に冷却のためのクーリングテーブルを備える。
押し出されたままの押出材は、撓みや歪み等を有しているので、押出材を引っ張り矯正する必要がある。
そこで、クーリングテーブルの側面にストレッチャー及びストレージテーブルを備える。
引っ張り矯正された押出材は、ストレージテーブルの側面に設けられた切断テーブルにて定尺に切断し、その後にラック積みされる。
このように従来の一般的な押出装置は、押出機とその後面設備からなる大型装置となっていた。
【０００３】
特許文献１には、後面設備（附帯設備）の小型化を目的に、押出機，冷却装置，整直装置及び定寸切断装置を順次直列に配置した押出装置を開示する。
しかし、同公報に開示する整直装置は、駆動ローラで押出材を整直ローラに強制的に送り込むものであり、押出材を引っ張り矯正するものではない。
【先行技術文献】
【特許文献】
【０００４】
【特許文献１】特開平１０−２７７６３５号公報
【発明の概要】
【発明が解決しようとする課題】
【０００５】
本発明は、小型化，省スペース化を図るのに有効で、生産性の高い押出装置の提供を目的とする。
【課題を解決するための手段】
【０００６】
本発明に係る押出装置は、押出機と、当該押出機から押し出された押出材を支持するためのランアウトテーブルと、当該ランアウトテーブルに沿って、押出機側に設けた送りローラと、当該送りローラから押出前方側に所定の間隔を隔てて設けた引きローラとを備え、前記送りローラと前記引きローラとの間に押出材の冷却手段を有し、前記送りローラと前記引きローラでその間を通過する押出材に引っ張り力が生じるものであることを特徴とする。
【０００７】
本明細書にて、押出機から押出材が押し出され移動する方向を前方と表現する。
ランアウトテーブルは、押出機から押し出されてくる押出材を下側から支持するためのテーブルであり、上面に複数の支持部材を所定間隔毎に設けてある。
送りローラとは、押し出された押出材を前方に向けて送り出すための送り機をいう。
引きローラとは、押出材を引っ張るようにして引き込むための引込機をいう。
冷却手段は、押し出された高温の押出材を冷却するためのものであり、水冷又は空冷であってよい。
押出材が形材のように断面異形状であれば、断面歪みが小さい空冷が好ましい。
高温の押出材を冷却すると、送りローラと引きローラとの間を通過している押出材の長さ方向の寸法が収縮し、それによって押出材には引っ張り力（ストレッチ）が作用することになる。
押出材の押出スピードは速い方がよいので、空冷の場合に冷却速度２００〜３００℃／ｍｉｎ以上が好ましい。
【０００８】
本発明において、さらに引きローラの前方に、押出材の押出スピードに同期移動しながら当該押出材を切断するための切断機を有してもよく、また切断機の前方に切断された押出材の搬送手段を有してもよい。
これにより、押出装置がよりコンパクトになる。
【発明の効果】
【０００９】
本発明に係る押出装置は、押出材を送りローラと引きローラとの間を通過させる際に押出材を冷却手段で冷却でき、押出材に冷却による収縮力が作用するので、この送りローラと引きローラとの間にある押出材には引っ張り力が働き、ストレッチ矯正される。
【図面の簡単な説明】
【００１０】
【図１】本発明に係る押出装置の構成及び押出材の生産の流れを示す。（ａ）は押し出し初期の状態、（ｂ）は押出材の先端側が引きローラを通過し、その状態で冷却手段を作動させた状態、（ｃ）は切断機をＯＮにした状態を示す。
【図２】押出材の切断の流れを示す。（ａ）は切断機が押出スピードに同期走行しながら押出材を切断している状態、（ｂ）は定寸に切断された押出材をラック積みしている状態を示す。
【発明を実施するための形態】
【００１１】
以下、図に基づいて本発明に係る押出装置の構成例及び押出材の生産方法について説明するが、本発明はこれに限定されない。
【００１２】
本発明に係る押出装置を図１（ａ）に模式的に示してある。
押出機１１と、この押出機１１により押し出される押出材１を支持し受けるランアウトテーブル１２を有する。
押出機１１は、コンテナ１１ａとステム１１ｃを有し、コンテナ１１ａの前側には押出ダイス１１ｂがセットされる。
本実施例は、直接押出機の例であり、間接押出機であってもよい。
加熱炉２０にて高温に予熱された円柱状のビレットＭをコンテナ１１ａ内に充填し、ステム１１ｃを前進させることで、押出材１が押し出し成形される。
【００１３】
図１（ａ）の上側に平面図、下側に側面図を模式的に示すように、ランアウトテーブル１２は所定の間隔を隔てて複数の支持部材１７を有する。
支持部材は、潤滑性のあるバー材や回転する支持ローラであってよい。
ランアウトテーブル１２の押出機側には、送りローラ（送り機）１４を有し、その前方には所定の距離をおいて引きローラ（引込機）１５を有する。
ランアウトテーブル１２の両側には、冷却手段１３ａ，１３ｂを有する。
本実施例では、押し出されてくる押出材１に向けて強くエアーを吹き付ける空冷手段となっている。
なお、図１では一対の冷却手段１３ａ，１３ｂを送りローラ１４寄りに設置した例になっているが、引きローラ１５側に向けて複数対の冷却手段を設けてもよい。
また、冷却手段は、ランアウトテーブルの上方側から下方に向けてエアーを噴射してもよい。
【００１４】
送りローラ１４は、押し出されてくる押出材を前方に送り出すためのものをいい、図１では１つの支持ローラ１７ａとこれに対向させた１つの送りローラ１４を模式的に表現したが、押出材が形材の場合に断面形状に合せて複数の送りローラにて構成することができる。
引きローラ１５は、押出材を引き込むためのであり、図１では送りローラ１４と同様に、一対の支持ローラ１７ｂと引きローラ１５のみを模式的に表現したものであり、押出材の断面形状に合せて引き込むことができるように複数のローラで構成できる。
送りローラ１４は、押出材の押出スピードに合せて回転するものであり、駆動モーター等を有していてもよい。
引きローラ１５は、駆動モーターにより回転制御されている。
【００１５】
引きローラ１５の前方には、ランアウトテーブルと平行に設置した走行レール１６ａ上を走行する切断機１６を有する。
切断機１６は、押出材を切断するための刃１６ｃを有し、本実施例では刃１６ｃが押出材を横切るように移動するスライドレール１６ｂが設けられている。
押出材が押し出される押出スピードをエンコーダ等にて計測し、切断機１６は押出スピードに合せて同期走行しながら押出材の切断が可能になっている。
【００１６】
次に押出材の生産の流れを説明する。
図１（ａ）に示すように、加熱炉２０にて予熱されたビレットＭをコンテナ１１ａ内に充填し、ステム１１ｃで押し出す。
押出材１は、送りローラ１４を通過し、図１（ｂ）に示すように押出材１の先端側が引きローラ１５を通過した状態で冷却手段１３ａ，１３ｂを作動させる。
すると、押出材が冷却されるにつれて収縮するが、押出材１は送りローラ１４と引きローラ１５との間に保持されながら前方に移動しているので、長手方向に押出材が収縮すると、相対的にその間に引張力ｆが働くため、押出材はストレッチ矯正される。
なお、引きローラ１５の回転スピードＷ２を送りローラ１４の回転スピードＷ１よりも速くし、引っ張り方向の力をサポートしてもよい。
図１（ｃ）に示すように、押出材の先端側が切断機１６を通過すると、図２（ａ）に示すように切断機１６が走行レール１６ａに沿って押出材の押出スピードと同期走行しながらこの押出材を切断する。
切断された押出材１ａは、図２（ｂ）に示すように後方側の押出材１よりも速く搬送手段にて前方に移送され、仮置きテーブル１８を介してラック１９にラック積みされる。
切断機１６は、図２（ｂ）に示すように後退復帰し、繰り返し押出材を切断する。
【符号の説明】
【００１７】
１        押出材
１１      押出機
１２      ランアウトテーブル
１３ａ    冷却手段
１４      送りローラ
１５      引きローラ
１６      切断機
１６ａ    走行レール
１６ｃ    刃
１７      支持部材
Ｍ        ビレット
【図１】
0006653587.tif 000002
【図２】
0006653587.tif 000003